(57)【要約】【課題】入力装置およびこの入力装置を用いた携帯端末機器ならびに携帯端末機器におけるコンテンツデータの閲覧方法に関し、使用者にとって有効なコンテンツを簡易でしかも分かりやすい操作方法で表示させたり格納させたりすることができるものを提供する。【解決手段】表示部１１に近接する周囲位置にデータ退避の操作部２１が設けられていると共に、それらを含む領域Ａ内に機器筐体１上での物体の移動状態が検知可能なパッド部３１を配した構成とし、表示部１１から操作部２１またはそれとは逆の機器筐体１上の物体での移動操作で、選択したコンテンツデータを一時的な格納状態にしたり、その一時的な格納状態にされているものが再度表示部１１内に表示されるものとした。【選択図】図１
2007202124.tif 000002
【特許請求の範囲】
【請求項１】
コンテンツデータを表示する表示部と、前記表示部の周辺に設けられ、前記コンテンツデータに関する操作を行うための操作部と、前記表示部および前記操作部上の物体の動きを検知するパッド部とを備えた入力装置。
【請求項２】
請求項１記載の入力装置を用いた携帯端末機器であって、前記パッド部の検知した前記物体の動きに基づいて、前記コンテンツデータに対して所定の処理を行う制御部とを備えた携帯端末機器。
【請求項３】
前記コンテンツデータを記憶するためのメモリ部を備え、前記パッド部が前記表示部から前記操作部に向かう前記物体の動きを検知したときに、前記制御部は、前記コンテンツデータを前記メモリ部に記憶させる請求項２に記載の携帯端末機器。
【請求項４】
前記パッド部が前記表示部から前記操作部に向かう前記物体の動きを検知したときに、前記制御部は、さらに、前記コンテンツデータの表示を前記表示部から隠す請求項３に記載の携帯端末機器。
【請求項５】
前記コンテンツデータが前記メモリ部に記憶されたことを示す明示部を備え、前記制御部は、前記パッド部が前記表示部から前記明示部に向かう前記物体の動きを検知したときに、前記明示部に前記コンテンツデータが前記メモリ部に記憶されたことを明示させる請求項３に記載の携帯端末機器。
【請求項６】
前記明示部は、さらに、前記コンテンツデータの名称を明示する請求項５に記載の携帯端末機器。
【請求項７】
前記操作部を複数備え、前記操作部は、前記明示部をそれぞれ有し、前記制御部は、前記パッド部が前記表示部から前記操作部に向かう前記物体の動きを検知したときに、前記複数の明示部のうち、前記物体の止まったところに位置する明示部に、前記コンテンツデータが前記メモリ部に記憶されたことを明示させる請求項５に記載の携帯端末機器。
【請求項８】
前記コンテンツデータを記憶するメモリ部を備え、前記パッド部が前記操作部から前記表示部に向かう前記物体の動きを検知したときに、前記制御部は、前記コンテンツデータを前記メモリ部から読み出す請求項２に記載の携帯端末機器。
【請求項９】
前記制御部は、所定の第１操作を検知したときに、前記メモリ部に記憶されたコンテンツデータの内容を報知する請求項３に記載の携帯端末機器。
【請求項１０】
前記所定の第１操作が、前記操作部上に前記物体を所定時間以上停止させる操作である請求項９に記載の携帯端末機器。
【請求項１１】
前記制御部は、所定の第２操作を検知したときに、前記表示部に個々のコンテンツデータを重ならないように拡大表示させる請求項３に記載の携帯端末機器。
【請求項１２】
前記所定の第２操作が、前記表示部上を前記物体でたたく操作である請求項１１に記載の携帯端末機器。
【請求項１３】
前記操作部が、筐体の側面を含む面に延伸する導光部を有する請求項３に記載の携帯端末機器。
【請求項１４】
請求項２記載の携帯端末機器を用いたコンテンツデータの閲覧方法であって、前記パッド部が、前記物体の動きを検知する第１ステップと、前記制御部が、前記パッド部の検知した前記物体の動きに基づいて、前記コンテンツデータに対して所定の処理を行う第２ステップとを備えたコンテンツデータの閲覧方法。
【発明の詳細な説明】
【技術分野】
【０００１】
本発明は、各種情報を機器に入力するための入力装置、および、その入力装置を用いた携帯電話等の携帯端末機器、ならびに、携帯端末機器におけるコンテンツデータの閲覧方法に関する。
【背景技術】
【０００２】
近年、携帯電話等の携帯端末機器の高機能化、多機能化の進展に伴って、インターネットやメモリカード等により読み込まれたコンテンツデータの閲覧が可能な携帯端末機器が増加している。
【０００３】
このような従来の携帯端末機器におけるコンテンツデータの閲覧方法の一例について、図１６〜図１７を用いて説明する。
【０００４】
図１６は従来の携帯端末機器である携帯電話の上面図、図１７は同閲覧方法を示す遷移図であり、図１６に示すように、携帯端末機器である携帯電話１２０は、表示部１１０およびテンキー１０９を備える。
【０００５】
そして使用者が、携帯電話１２０のテンキー１０９を操作してインターネットに接続し、ウェブからコンテンツデータをダウンロードすると、そのコンテンツデータが機器内部のメモリに格納される。これらの操作を複数回繰り返して行った場合、コンテンツデータが、携帯電話１２０内部のメモリにダウンロードした順に格納される。
【０００６】
このように、携帯電話１２０内部のメモリに複数のコンテンツデータが格納された状態において、コンテンツデータを閲覧する方法について説明する。
【０００７】
図１７に示すように、まず機器の表示部１１０にコンテンツデータの一例のメッセージ１０１が表示されているときに、所定の例えばメニューキーを押下すると、表示部１１０の表示がブラウザメニュー１０２画面に移動する。
【０００８】
ここでブラウザメニュー１０２から「戻る」を選択するか、「戻る」機能に割り当てられたキーを短時間押下すると、メッセージ１０１の一つ前にダウンロードしたコンテンツデータが選択され、携帯電話１２０の表示部１１０にそのコンテンツデータ（メッセージ１０３とする）が表示される。
【０００９】
また、ブラウザメニュー１０２が表示された状態で、ブラウザメニューから「進む」を選択するか、「進む」機能に割り当てられたキーを短時間押下すると、メッセージ１０１の一つ後にダウンロードしたコンテンツデータが選択され、機器の表示部１１０にそのコンテンツデータ（メッセージ１０４とする）が表示される。
【００１０】
上記のような操作を繰り返して行うことにより、これまでダウンロードしたコンテンツを、ダウンロードした順に、または逆順に一つずつ閲覧することができる。
【００１１】
さらに、これらの操作を簡素化する方法として、従来の携帯電話１２０では、「戻る」機能または「進む」機能に割り当てられたキーを一定の時間以上押下すると、ブラウザメニュー画面１０５または１０６が表示される。これと同時に、メモリ内に格納されているコンテンツの数に応じて機器のテンキー１０９が点灯する。例えば、５つのコンテンツがメモリに格納されており、閲覧可能であれば、図１７におけるテンキー１０９に斜線で示すように、１〜５までのキーが点灯状態となる。
【００１２】
そして、携帯電話１２０では、戻りたい画面数または進みたい画面数に応じて、１〜５までのキーの内からそれに応じたキーを押下すると、それに応じたメッセージ１０７またはメッセージ１０８が直接表示されるものも提案されている。
【００１３】
なお、この出願の発明に関連する先行技術文献情報としては、例えば、特許文献１が知られている。
【特許文献１】特開２００２−７２９５４号公報
【発明の開示】
【発明が解決しようとする課題】
【００１４】
しかしながら、上述した従来の技術においては、ダウンロードした全てのコンテンツデータが閲覧対象、具体的には、「戻る」または「進む」という機能の対象となっているため、一度ダウンロードしたものの、不要となったコンテンツデータも閲覧対象に含まれてしまい、特にコンテンツデータ数が増えた場合にコンテンツデータを閲覧するための操作が煩雑になるという課題があった。
【００１５】
また、テンキー１０９への操作により所望のコンテンツデータを直接選択する方法においては、閲覧したいコンテンツデータが現在表示されているコンテンツデータの何画面前、または、何画面後であるかを使用者が記憶しておかなければならないという課題があった。
【００１６】
本発明は、このような従来の課題を解決するものであり、簡易でしかも分かりやすい操作方法で、コンテンツデータを操作することのできる入力装置および携帯端末機器、ならびに、携帯端末機器におけるコンテンツデータの閲覧方法を提供することを目的とする。
【課題を解決するための手段】
【００１７】
上記目的を達成するために本発明の入力装置およびこの入力装置を用いた携帯端末機器ならびに携帯端末機器におけるコンテンツデータの閲覧方法は、以下の構成を有するものである。
【００１８】
本発明の請求項１に記載の発明は、コンテンツデータを表示する表示部と、表示部の周辺に設けられ、コンテンツデータに関する操作を行うための操作部と、表示部および操作部上の物体の動きを検知するパッド部とを備えて入力装置を構成したものであり、所望のコンテンツデータの操作は、表示部および操作部上で物体を動かして行うことによって、簡易でしかも分かりやすい方法にできるため、使い勝手の良いものが実現できる入力装置を得ることができるという作用を有する。
【００１９】
請求項２に記載の発明は、請求項１記載の入力装置を用いた携帯端末機器であって、コンテンツデータを表示する表示部と、表示部の周辺に設けられ、コンテンツデータに関する操作を行うための操作部と、表示部および操作部上を移動する物体の動きを検知するパッド部と、パッド部の検知した物体の動きに基づいて、コンテンツデータに対して所定の処理を行う制御部とを備えたことを特徴とする携帯端末機器である。
【００２０】
係る構成になる携帯端末機器は、表示部および操作部上を物体で動かす、という簡易で、かつ分かりやすい操作方法で、コンテンツデータを操作するものであり、簡易でしかも分かりやすい方法であるため、使い勝手の良いものが実現できる携帯端末機器を得ることができるという作用を有する。
【００２１】
請求項３に記載の発明は、請求項２記載の発明において、コンテンツデータを記憶するためのメモリ部を備え、パッド部が表示部から操作部に向かう物体の動きを検知したときに、制御部は、コンテンツデータをメモリ部に記憶させる構成であり、使用者が物体を表示部からその周辺部に設けられた操作部へ動かす、という簡易でしかも分かりやすい閲覧方法で、所望のコンテンツデータを閲覧対象から除外して、一時的な記憶状態にさせることのできる携帯端末機器を実現できるという作用を有する。
【００２２】
請求項４に記載の発明は、請求項３記載の発明において、パッド部が表示部から操作部に向かう物体の動きを検知したときに、制御部は、さらに、コンテンツデータの表示を表示部から隠す構成であり、さらに、使用者は、コンテンツデータが一時的な記憶状態になったことを一見して分かることができるという作用を有する。
【００２３】
請求項５に記載の発明は、請求項３記載の発明において、コンテンツデータがメモリ部に記憶されたことを示す明示部を備え、制御部は、パッド部が表示部から明示部に向かう物体の動きを検知したときに、明示部にコンテンツデータがメモリ部に記憶されたことを明示させる構成であり、さらに、使用者が物体を表示部から操作部へ動かしたときに、明示部によってコンテンツデータがメモリ部に記憶されたことが明示されるので、使用者に対して、コンテンツデータが記憶されたことをより明確に知らせることができるという作用を有する。
【００２４】
請求項６に記載の発明は、請求項５記載の発明において、明示部は、さらに、コンテンツデータの名称を明示する構成であり、さらに、使用者に対して、記憶されたコンテンツデータの名称をも知らせることができるため、さらに、コンテンツデータの識別が容易にできるという作用を有する。
【００２５】
請求項７に記載の発明は、請求項５記載の発明において、操作部を複数備え、操作部が明示部をそれぞれ有し、制御部は、パッド部が表示部から操作部に向かう物体の動きを検知したときに、複数の明示部のうち、物体の止まったところに位置する明示部に、コンテンツデータがメモリ部に記憶されたことを明示させる構成であり、さらに、使用者は、あたかも複数の操作部それぞれにコンテンツデータを格納するように、直感的で分かりやすい操作を実現できる。また、使用者は、点灯している明示部の数により、既に記憶させたコンテンツデータの数を一目で知ることができるという作用を有する。
【００２６】
請求項８に記載の発明は、請求項２記載の発明において、コンテンツデータを記憶するメモリ部を備え、パッド部が操作部から表示部に向かう物体の動きを検知したときに、制御部は、コンテンツデータをメモリ部から読み出す構成であり、さらに、使用者は、操作部から表示部に物体を動かす、という分かりやすい操作方法で、メモリに記憶されたコンテンツデータを読み出すことが可能となるという作用を有する。
【００２７】
請求項９に記載の発明は、請求項３記載の発明において、制御部は、所定の第１操作を検知したときに、メモリ部に記憶されたコンテンツデータの内容を報知する構成であり、さらに、メモリ部に記憶されたコンテンツデータの内容を使用者に知らせることができるという作用を有する。
【００２８】
請求項１０に記載の発明は、請求項９記載の発明において、所定の第１操作が、操作部上に物体を所定時間以上停止させる操作の構成であり、さらに、コンテンツデータを記憶させるための操作と一連に行うことのできる操作で、コンテンツデータの内容を使用者に知らせることができるという作用を有する。
【００２９】
請求項１１に記載の発明は、請求項３記載の発明において、制御部は、所定の第２操作を検知したときに、表示部に個々のコンテンツデータを重ならないように拡大表示させる構成であり、さらに、一時的に記憶させたコンテンツデータ以外のデータを、使用者に、より見やすい形で表示させることができるという作用を有する。
【００３０】
請求項１２に記載の発明は、請求項１１記載の発明において、所定の第２操作が、表示部上を物体でたたく操作であり、さらに、コンテンツデータを記憶させるための操作と一連に行うことのできる操作で、表示部に表示されたコンテンツデータの内容をより見やすい形で使用者に知らせることができるという作用を有する。
【００３１】
請求項１３に記載の発明は、請求項３記載の発明において、操作部が、筐体の側面を含む面に延伸する導光部を有する構成であり、さらに、筐体の側面からもコンテンツデータが記憶されたことを目で確認でき、より一見して分かることを向上させることができるという作用を有する。
【００３２】
請求項１４に記載の発明は、請求項２記載の携帯端末機器を用いたコンテンツデータの閲覧方法であって、パッド部が、物体の動きを検知する第１ステップと、制御部が、パッド部の検知した物体の動きに基づいて、コンテンツデータに対して所定の処理を行う第２ステップとを備えたものであり、使用者が、表示部および操作部上を物体で動かすという簡易でしかも分かりやすい方法で、コンテンツデータを操作することのできる携帯端末機器のコンテンツデータの閲覧方法を実現できるという作用を有する。
【発明の効果】
【００３３】
以上のように本発明によれば、簡易でしかも分かりやすい方法で、所望のコンテンツデータを操作することのできる入力装置およびこの入力装置を用いた携帯端末機器、ならびに携帯端末機器におけるコンテンツデータの閲覧方法を得ることができるという有利な効果が得られる。
【発明を実施するための最良の形態】
【００３４】
以下、本発明の実施の形態について、図１〜図１５を用いて説明する。
【００３５】
（実施の形態）
図１は本発明の一実施の形態による携帯端末機器の例としての携帯電話の上面図であり、同図において、１は機器筐体で、機器筐体１は外形が略直方体状に形成され、その内部に配線基板が配されている。
【００３６】
その操作面側となる上面には、下方から順に、送話等に用いるための使用者の声を受け取る送話部３、番号等の入力を行うためのテンキー５、特定の機能を実行するように入力を行うためのファンクションキー７、コンテンツデータ等を表示するための表示部１１、および、電話として機能させたときに、相手側の音声を受け取るための受話部９が設けられている。
【００３７】
上記送話部３は、機器筐体１内の所定の位置に配置されたマイク等を用いて構成され、テンキー５およびファンクションキー７は、配線基板上の所定の位置に配置された押圧型などのスイッチを用いて構成され、それぞれ押圧することが可能である。同様に、表示部１１は、機能素子としてＬＣＤ等を有し、受話部９はスピーカ等を用いて構成されている。なお、１０は電波を送受信するためのアンテナを設けて携帯電話２０が構成されている。
【００３８】
さらに、携帯電話２０は、機器筐体１の表示部１１が配置された周囲部分に所定幅の桟部を有し、その桟部に、表示部１１とは独立に配置されたデータ退避の操作部２１を備えたものとしている。この操作部２１は、図１からも判るように、表示部１１に対して、その側方位置にあたる両側の桟部にそれぞれ三つずつ独立状態で設けられている。
【００３９】
このデータ退避の操作部２１の配設位置に対応させて機器筐体１内に、データ退避の操作が行われたか否か、つまり、コンテンツデータがメモリに記憶されたかどうかを使用者に明示するための明示部１５が配置されている。具体的に操作部２１は、光透過性の樹脂部品を用いて機器筐体１内の操作部２１に対応する位置（例えば、操作部２１の直下位置）に、明示部１５として有機ＥＬ素子を配置することでこの機能を実現することができる。
【００４０】
また、表示部１１およびデータ退避の操作部２１が配設された、図１に点線で囲って示す領域Ａに対応させて、その領域に、使用者が動かす物体の位置検知を行うためのパッド部３１が配されている。なお、物体としては指、ペン（例えばスタイラスペン）、磁石などを用いることができる。
【００４１】
このパッド部３１は、機器筐体１上の領域Ａに物体を載せるなどした際、その座標位置の特定ができる信号を得られるものであり、例えば静電容量方式のものなどを用いることができるが、本発明は、この例に限定されるものではなく、感圧式の抵抗膜等を用いて実施してもよい。
【００４２】
また、物体を領域Ａに載せると表現したが、この「載せる」には、接触して載せる、のみならず、ある程度隙間が開いた状態の非接触状態に載せる、としても実施は可能であり、非接触状態に載せた物体の座標位置を検知するデバイスとしては、光学式や磁気式のポインティングデバイスなどを用いることができる。
【００４３】
この磁気式のポインティングデバイスの一例としては、磁石（物体）を接触、非接触に拘らず動かすことで発生する磁界を、複数のホール素子（パッド部３１）により個別に読み取り、各ホール素子の検出磁束密度の差分から、磁石の位置検出を行うものなどがある。
【００４４】
次に、図２を用いて、携帯電話２０の機能ブロックについて詳細に説明する。図２は本発明の実施の形態における携帯電話２０の構成を示すブロック図である。
【００４５】
図２に示すように、携帯電話２０は、配線基板に配置されたマイクロコンピュータ等を有する制御部４１を備えている。制御部４１は、アンテナ１０、テンキー５、ファンクションキー７、パッド部３１、表示部１１、明示部１５、送話部３および受話部９とそれぞれ接続される。制御部４１と各構成要素との間では各種信号のやり取りがなされるとともに、制御部４１は、これらの構成要素それぞれの制御を行う。
【００４６】
また、制御部４１にはメモリ４５も接続されており、メモリ４５に対するデータ入出力も制御部４１によって制御されている。
【００４７】
また、携帯電話２０には、インターネットに接続し、ブラウザを用いてウェブを閲覧できる機能が搭載されている。
【００４８】
そして、携帯電話２０は、テンキー５やファンクションキー７の押下操作などによって、電話をかけたり、Ｅメールの送受信などが行えるとともに、写真や文書等を含むメモリ４５に記憶されたデータを読み出して表示させたり、インターネットに接続してサイト閲覧を行ったり、さらにテレビ電話（動画による通話）も使用することができる。
【００４９】
なお、以下の説明では、様々な使用状態において、携帯電話２０の表示部１１に表示される情報（電話番号、電子メール、写真、文書、ウェブページ、動画等）のことを総称してコンテンツデータと記している。
【００５０】
ここで、コンテンツデータを表示する表示部１１と、表示部１１の周辺に設けられ、コンテンツデータに関する操作を行うための操作部２１と、表示部１１および操作部２１上の物体の動きを検知するパッド部３１とを備えて入力装置３５は構成されている。
【００５１】
次に、携帯電話２０の使用方法について説明する。図３から図１４までは、それぞれ本発明の実施の形態における携帯電話２０の使用方法について説明するための図である。
【００５２】
まず、使用者は、ファンクションキー７等を操作することにより、表示部１１に複数のコンテンツデータを順次表示させる。そのコンテンツデータが写真画像である場合には、例えば、図３に示すように、各コンテンツデータであるＰｈｏｔｏ１〜Ｐｈｏｔｏ３の画像が、表示させた順に（新しいものが手前になるように）重なり合った状態で表示部１１に表示される。図３においては、もっとも手前にＰｈｏｔｏ３が表示され、その奥にＰｈｏｔｏ２、さらにその奥にＰｈｏｔｏ１がそれぞれ表示されている。この状態では、使用者はＰｈｏｔｏ３についてのみ全体を見ることができる。
【００５３】
このような図３に示す状態で、使用者がＰｈｏｔｏ２の全体を見たい場合について説明する。使用者が、Ｐｈｏｔｏ２の全体像を視認するには、その上に重なって表示されたＰｈｏｔｏ３の画像を一時的に退避させるための操作を行う。
【００５４】
具体的には、図４中に矢印で示すように、まず、使用者は、表示部１１内のＰｈｏｔｏ３の画像が表示されている位置に物体を載せたまま、物体で表示部１１の上面を動かして、データ退避の操作部（この操作部を操作部２１Ａと記す）に向かってスライド移動させる。
【００５５】
その結果、使用者が表示部１１内のＰｈｏｔｏ３の画像が表示された領域内に物体を置いた時点で、パッド部３１からは、物体の置かれた座標位置を特定するための信号が制御部４１に入力される。
【００５６】
そして、制御部４１は、パッド部３１から送られた信号により、表示部１１上の物体の置かれた位置を特定し、さらにその座標から、その座標に対応する、退避させるべきコンテンツデータを選択する。図４に示す状態では、制御部４１は、使用者がコンテンツデータＰｈｏｔｏ３を選択しているものと判定する。
【００５７】
続いて、使用者が物体を移動させるのに応じて、パッド部３１から制御部４１に入力される信号に基づき、制御部４１は、図５に示すように、物体の移動方向および移動速度に合わせてＰｈｏｔｏ３の表示を移動させるための制御を行う。これにより、使用者は、あたかもＰｈｏｔｏ３の画像が物体の動きに伴って移動していくように感じるので、非常に直感的な操作を実現できる。
【００５８】
そして、物体が、図５における左下のデータ退避の操作部２１Ａ上に移動され、停止すると、制御部４１はパッド部３１からの座標位置を示す信号に基づいて、Ｐｈｏｔｏ３の表示を表示部１１から隠し、Ｐｈｏｔｏ３の画像データをメモリ４５内に記憶させるとともに、操作部２１Ａに対応して配置された明示部１５の表示制御を行う。
【００５９】
具体的には図６に示すように、データ退避の操作部２１Ａには、メモリ４５に一時的に記憶されたコンテンツデータの名称（例えば、「Ｐｈｏｔｏ３」）等が明示部１５により表示される。これにより、使用者はＰｈｏｔｏ２のほぼ全体像を容易に視認できるようになるとともに、表示部１１からＰｈｏｔｏ３の画像が隠されたこと、および、明示部１５によるコンテンツデータ名の表示によって、Ｐｈｏｔｏ３というコンテンツデータがメモリ４５に格納されたことを一見して分かることができる。
【００６０】
なお、このとき、制御部４１は、最終的に物体が停止した場所の座標位置に基づいて、明示部１５に明示させる操作部２１を決定する。例えば、使用者が図５における点線矢印のように物体を動かした場合、つまり他の操作部２１上を経由した場合にも、制御部４１は、使用者が最終的に物体を止めた場所に対応する操作部２１Ａの明示部１５に対して表示制御を行う。
【００６１】
図６に示す状態、すなわち、Ｐｈｏｔｏ３というコンテンツデータが表示部１１から隠れて、メモリ４５に一時的に記憶された状態において、Ｐｈｏｔｏ３の画像を再度、表示部１１内に表示させるには、使用者は、上述した操作とは逆の操作を行う。つまり、使用者が、コンテンツデータが退避された旨が表示された操作部２１Ａ上に物体を載せ、そのまま表示部１１内に向かって物体を移動させる操作を行えばよい。
【００６２】
このとき、操作部２１Ａ上に使用者が物体を載せた時点で、パッド部３１からの信号に基づいて、制御部４１は、操作部２１Ａに対応するコンテンツデータ、すなわち、この場合にはＰｈｏｔｏ３というコンテンツデータが使用者によって選択されたものと判定する。
【００６３】
そして、制御部４１は、メモリ４５内に記憶されたＰｈｏｔｏ３の画像データを読み出して、その後使用者が物体を移動させることに伴うパッド部３１から出力される信号に基づいて、物体の移動状態に応じて表示部１１内にＰｈｏｔｏ３の画像を徐々に表示させていく。
【００６４】
また、明示部１５による操作部２１Ａへのコンテンツデータ名「Ｐｈｏｔｏ３」の明示は、上記操作において、Ｐｈｏｔｏ３の画像が表示部１１内に再度表示された時点で制御部４１の制御で明示することを止められる。
【００６５】
このように動作することにより、使用者は、あたかも操作部２１Ａに格納されたコンテンツデータＰｈｏｔｏ３を、物体で動かすことによって表示部１１上に表示させたように感じ、非常に分かりやすく直感的な操作を実現できる。
【００６６】
なお、Ｐｈｏｔｏ１やＰｈｏｔｏ２の画像について、操作部２１に向けて移動させるように操作して、一時的にメモリ４５に記憶させるための方法や、その一時的な記憶状態にあるコンテンツデータを再度表示部１１に表示させるための方法も、上述した操作方法と共通するので、ここではその説明を省略する。
【００６７】
このように本実施の形態によれば、データ退避の操作部２１を表示部１１に近接した周囲位置に設け、さらに、表示部１１上のみならず、操作部２１の配設位置上をも含めて、物体の動きを検知することができるように、パッド部３１を配していることによって、表示部１１内に物体を載せることにより、その物体の当接位置を検知して、その箇所に対応するコンテンツデータを移動対象として選択する制御ができ、その後のコンテンツデータの移動操作等をスムーズに行うことができる携帯電話２０を得ることができるものである。
【００６８】
また、携帯電話２０は、使用者が、物体を表示部１１上からデータ退避の操作部２１上まで移動操作することによって、移動対象とされたコンテンツデータを一時的な格納状態にさせることができる。また、それとは逆に、一時的な格納状態にさせたコンテンツデータについて、物体を、データ退避の操作部２１Ａ上から表示部１１内まで移動させる操作を行うことによって、再度表示させることができる。
【００６９】
このように、携帯電話２０がコンテンツデータを一時的に格納状態にさせる、または再度表示させる操作は、それぞれ物体の当接位置や移動方向等に応じて行われるため、使用者にとって非常に分かりやすく、かつ、その操作は機器筐体１上を物体で動かすという簡易なものであるため、使い勝手にも優れている。
【００７０】
なお、上述した例においては、一つのコンテンツデータを一時的な格納状態にし、次にそれを再度表示させる事例を説明したが、本発明はこの例に限定されるものではない。たとえば、複数のコンテンツデータのうち、不要なコンテンツデータそれぞれに対して、上述した操作を、操作部２１のそれぞれに対して繰り返し行って、複数のコンテンツデータを一時的な格納状態とし、表示部１１には必要なコンテンツデータのみを表示させて使用することも可能である。
【００７１】
なお、所定のコンテンツデータを一時的な格納状態にするための操作がなされた操作部２１Ａに対して、使用者が誤ってさらに別のコンテンツデータを一時的な格納状態にする操作がなされる場合、例えば、明示部１５が点灯している操作部２１Ａに対して、さらにコンテンツデータを記憶させるための操作を行うことも想定されるが、その場合には、コンテンツデータを単に新たなコンテンツデータに上書きするという仕様も可能だが、実用上は、使用者が誤った操作を行ったものと判定し、スピーカや圧電ブザー等で使用者に対して音などの警報を報知するような仕様とすることが望ましい。
【００７２】
この場合の制御例としては、上述した誤操作が行われたときに、表示部１１内から操作部２１Ａに物体が移動したという座標を示す信号がパッド部３１から制御部４１に入力されるので、その信号をトリガーとして、制御部４１が、すでに操作部２１Ａに対してコンテンツデータを一時的な格納状態にする操作がなされていれば、使用者に対して警報を報知するように制御すればよい。
【００７３】
次に、携帯電話２０において、コンテンツデータがインターネットのサイトの情報を示す画面である場合について説明する。
【００７４】
まず、使用者はファンクションキー７等を操作して、インターネットなどの所望のサイトに接続し、図７に示すような、コンテンツデータとなるサイトの情報画面を表示部１１内に複数表示させる。なお、その表示されたサイトの情報画面は、複数の異なるサイトの情報画面が同時に表示されていてもよいし、同じサイトの画面が、その階層を順次重ねた状態で複数表示されていてもよい。
【００７５】
図７は、三つのサイトの情報画面ＳｉｔｅＡ〜ＳｉｔｅＣが重なり合って表示された状態を模式的に示している。ＳｉｔｅＣはＳｉｔｅＢ上に重なって表示され、ＳｉｔｅＢはＳｉｔｅＡ上に重なって表示されている。表示部１１上では、ＳｉｔｅＣのみが全体を見ることのできる情報である。
【００７６】
図７の状態において、使用者がＳｉｔｅＢの全体を見たい場合、および、ＳｉｔｅＢの画像を一時的に退避させたい場合について説明する。このような場合、まず使用者は、表示部１１上のＳｉｔｅＢの情報画面が表示されている位置に物体を載せる。
【００７７】
これにより、パッド部３１から座標位置を特定するための信号が制御部４１に入力され、制御部４１は、上述した例と同様に、ＳｉｔｅＢの情報画面が操作対象として選択されたと判定する。なお、このときＳｉｔｅＢの情報は、ＳｉｔｅＣの情報画面で隠されている範囲も含めて、その全体が選択されたと判定されるものとする。そして、制御部４１は、図８に示すように、ＳｉｔｅＢの画像がもっとも手前に来るように表示部１１に表示させる。
【００７８】
次に、ＳｉｔｅＢの画像を退避させたい場合には、図８に矢印で示すように、使用者は、そのまま続けて、物体をデータ退避の操作部２１Ｂ上に向けて移動させてスライド移動させる。そうすると、選択されているＳｉｔｅＢの情報画面が、図９に示すように、物体の移動方向や速度に応じて徐々に移動していく。
【００７９】
そして、使用者が物体を動かすことにより、物体がデータ退避の操作部（図９における右列の真ん中の操作部で、ここでは操作部２１Ｂと記す）上に位置すると、図１０に示すように、ＳｉｔｅＢの情報が表示部１１から隠れて、ＳｉｔｅＢの情報画面がメモリ４５内に蓄積されるとともに、操作部２１Ｂには明示部１５により、コンテンツデータの内容、この場合には「ＳｉｔｅＢ」の名称が文字等で明示される。これらの制御に関しては、先ほど説明した、コンテンツデータとして写真を用いた場合と共通するために、ここでは詳細な説明を省略する。
【００８０】
上述したように、本実施の形態による携帯電話２０は、使用者が、あたかも自らがＳｉｔｅＢの画像を動かして操作部２１Ｂに格納するような、自然な感覚で操作を行うことができる。
【００８１】
一方、一時的な記憶状態にあるＳｉｔｅＢの情報画面を、再度表示部１１に表示させるための操作や制御等も、前述のコンテンツデータとして写真を用いた場合と共通している。使用者は、物体を操作部２１Ｂ上から表示部１１まで、機器筐体１上面を移動するような操作をすればよい。
【００８２】
さらに、上記所定のコンテンツデータを一時的な格納状態にする操作を複数のコンテンツデータに対して行ったり、逆に、記憶された複数のコンテンツデータのうち、必要なコンテンツデータの情報画面を、適宜再度表示させたりして使用可能なことも前述のコンテンツデータとして写真を用いた場合と共通している。
【００８３】
なお、本実施の形態による携帯電話２０について、さらなる改良を施すことも可能である。例えば、所定のサイトの情報画面を、使用者が物体を表示部１１から操作部２１Ｂ上に移動する操作によって、一時的な格納状態に移行された状態であるとする。
【００８４】
このとき、使用者が操作部２１Ｂ上の位置に、所定時間の間、物体を停止させて載せておく等、その操作が、上述したコンテンツデータを一時的な格納状態とする操作や再度表示させる操作とは異なる操作（第１操作という）を行った場合には、制御部４１は、一時的な格納状態にされているコンテンツデータの内容を使用者に対して告知するなどとすれば、さらに使い勝手を向上することができる。この告知方法としては、受話部９のスピーカ等から音声で告知することもできるし、表示部１１内にポップアップ画面を開いて告知するなど、様々な方法を用いることができる。
【００８５】
次に、携帯電話２０でテレビ電話（動画等の画像を用いた通話）機能を使用する際の動作例について、図１１〜図１４を用いて簡単に説明する。この例では、使用者が六名の相手と同時に通話を行っているものとし、その六名それぞれの画像が表示部１１に表示されているものとする。
【００８６】
ここでは、使用者が、表示されたＡさん、Ｂさん、Ｃさん、Ｄさん、Ｅさん、Ｆさん六人の画像のうち、一部の画像（Ｂさん、Ｃさん、Ｄさん、Ｅさん四人の画像）を一時的に格納したいものとして説明を行う。
【００８７】
このような場合、使用者は、図１１に示す六名の画像を同時に表示させた状態から、図１２に示すように、Ｂさん、Ｃさん、Ｄさん、Ｅさんの画像それぞれについて、機器筐体１上を、表示部１１に表示された各画像から各操作部２１に向かって物体で動かすように移動させる操作を行う。そうすると、Ｂさん、Ｃさん、ＤさんおよびＥさんの計四人の画像がそれぞれ一時的にメモリ４５に格納された状態となる。
【００８８】
その結果、図１３に示すように、表示部１１には、退避対象とされなかったＡさん、Ｆさんの計二人の画面情報が従前の表示の大きさを維持した状態で表示される。そして、Ｂさん、Ｃさん、ＤさんおよびＥさんの画像が、四つの操作部２１それぞれに格納されたことが、明示部１５によって明示される。これによって、使用者は、Ｂさん、Ｃさん、ＤさんおよびＥさんの画像それぞれが、メモリ４５に記憶されたことを知ることができる。
【００８９】
ここで、使用者は、図１３に示すような、Ａさん、Ｆさんの画像を見易くするために、例えば、表示部１１上等を物体で二度たたく（タッピング）等の、上述したコンテンツデータを一時的な格納状態とする操作、および、格納状態であったコンテンツデータを再度表示させる操作とは異なる操作（第２操作という）を行う。
【００９０】
そうすると、その操作に応じて、図１３には図示しないパッド部３１から制御部４１に対して、通常の操作とは異なる第２操作が行われたことを示す信号が入力され、その信号に基づいて、制御部４１が、図１４に示すように、表示部１１に、Ａさん、Ｆさんの計二人の画面情報がそれぞれ互いに重ならず、表示部１１全体を等分に分割する大きさになるように、拡大して表示させる。
【００９１】
なお、このような画像を拡大表示させるための操作の形態は、コンテンツデータを一時的な格納状態とする操作、または、格納状態であったコンテンツデータを再度表示させる操作を行った後に、一連に行える形態であることが好ましい。このようにすると、更に使い勝手が向上したものとなる。
【００９２】
例えば表示部１１上を物体である指先や関節等でたたく操作、つまり、画像を拡大表示させるための操作が、コンテンツデータを一時的に格納状態とする操作、または、格納状態であったコンテンツデータを再度表示させる操作を行った後に続けて、筐体から手を離すことなく、一連の動作として行うことができる。
【００９３】
以上のように、本発明によれば、簡易でしかも分かりやすい操作方法で、使用者が、コンテンツデータを一時的な格納状態にさせたり、再度表示させたりすることの容易な携帯電話を実現することができる。なお、上記に説明した操作方法を互いに組み合わせて使用するようにしてもよく、操作対象となるコンテンツデータも上述した例に限定されることはない。
【００９４】
なお、本実施の形態においては、データ退避の操作部２１の明示部１５は、有機ＥＬ素子を用いる場合を示す。そして、その有機ＥＬ素子により、操作対象となって一時的な格納状態にされたコンテンツデータの名称などが文字で明示される例を説明したが、本発明の明示部１５の機能素子としては、それ以外のものを用いることも可能である。
【００９５】
例えば、有機ＥＬ素子の代わりに各操作部２１に対応させてＬＥＤを配置しておき、所定の操作部２１への移動操作でコンテンツデータが一時的な格納状態にされたとき、その操作がなされた操作部２１に対応して配置されたＬＥＤを点灯させることもできる。図１５は、このような携帯電話の、別の例の構成を示すための側面図である。
【００９６】
図１５に示すように、明示部１５としてＬＥＤを用いて、各操作部２１において、光透過性の樹脂部品（導光部）を機器筐体１の表面から側面に亘って設けることにより、ＬＥＤを点灯させたときに、機器筐体１の側面側からも照光させることができるものを安価に構成できる。
【００９７】
このとき、パッド部３１として静電容量式のものを用い、操作部２１の側面上の物体の動きをも検知させることにより、曲面や側面においても物体の動きを検出することが可能となる。もちろん、機器筐体１の側面からさらに背面まで導光部を延伸させることも可能である。
【００９８】
なお、このような携帯電話２０では、上述したような、既に情報を退避させるための操作が行われた操作部２１への、使用者による再度の退避操作で、一時的な格納状態にされたコンテンツデータの内容が使用者に告知される構成にしておくとよい。
【００９９】
また、本実施の形態の携帯電話２０においては、表示部１１としてＬＣＤを有する構成であるとして説明を行ったが、本発明はこの構成に限定されない。例えば、表示部１１として有機ＥＬ素子を用い、その有機ＥＬ素子を操作部２１の位置まで延伸させて配置することにより、操作部２１および表示部１１を共通化することも可能である。しかしながら、実用的には、操作部２１は、表示部１１に対して独立した状態で設けられる方が、使用者側からすると、移動操作を行ったという認識がし易くなるのでより好ましい。
【０１００】
また、本実施の形態において説明した、物体の移動操作を滑らか、かつ、スムーズに行えるようにするためには、操作部２１の配設位置を、表示部１１に近接する周囲位置に設定するとともに、両者間の境目の位置に、大きな段差等のないように機器筐体１の上面形状を設定すればよい。
【０１０１】
さらに、操作部２１を配設する数は一つでもよいが、使い勝手などを考慮すると複数箇所に配設することが好ましい。このとき、物体での移動操作の操作箇所ともなる各操作部２１を配設するときの面積としては、その個々が少なくとも物体の例えば指で触れる広さ程度に設定され、かつ、一つの操作部２１上に物体が載った状態で、隣り合う操作部２１に物体の接触の影響が及ばないように、所定の間隔をあけた配置状態とすることも重要である。
【０１０２】
また、本実施の形態においては、携帯端末機器として、携帯電話を用いて説明したが、本発明はこの例に限定されるものではない。例えば、本発明は携帯電話やスマートフォンを代表する携帯式の無線端末機器に加えて、ＰＤＡに代表される情報端末機器、さらには携帯ゲーム機、リモコン等を含む携帯端末機器に適用することができる。さらに、近年、音楽プレーヤやカーナビゲーションシステム等の、表示部を備えた各種機器なども増えつつあり、パーソナルコンピュータ等も含め、これら各種電子機器全般に対して本発明を適用し、その使い勝手を向上させることも可能である。
【産業上の利用可能性】
【０１０３】
本発明による入力装置およびこの入力装置を用いた携帯端末機器ならびに携帯端末機器におけるコンテンツデータの閲覧方法は、簡易でしかも分かりやすい閲覧方法で、使用者にとって有効なコンテンツを一時的な格納状態にさせたり、再度表示させたりすることができるものとして実現できるという効果を有し、特に各種携帯端末機器等に対して有用なものである。
【図面の簡単な説明】
【０１０４】
【図１】本発明の一実施の形態による携帯端末機器である携帯電話の上面図
【図２】同携帯電話の構成を示すブロック図
【図３】同操作状態を説明する図
【図４】同操作状態を説明する図
【図５】同操作状態を説明する図
【図６】同操作状態を説明する図
【図７】同操作状態を説明する図
【図８】同操作状態を説明する図
【図９】同操作状態を説明する図
【図１０】同操作状態を説明する図
【図１１】同操作状態を説明する図
【図１２】同操作状態を説明する図
【図１３】同操作状態を説明する図
【図１４】同操作状態を説明する図
【図１５】同他の構成事例の携帯電話の側面図
【図１６】従来の携帯電話の上面図
【図１７】同操作状態を説明するための遷移図
【符号の説明】
【０１０５】
１  機器筐体
３  送話部
５  テンキー
７  ファンクションキー
９  受話部
１０  アンテナ
１１  表示部
１５  明示部
２０  携帯電話
２１、２１Ａ、２１Ｂ  操作部
３１  パッド部
３５  入力装置
４１  制御部
４５  メモリ
【図１】
2007202124.tif 000003
【図２】
2007202124.tif 000004
【図３】
2007202124.tif 000005
【図４】
2007202124.tif 000006
【図５】
2007202124.tif 000007
【図６】
2007202124.tif 000008
【図７】
2007202124.tif 000009
【図８】
2007202124.tif 000010
【図９】
2007202124.tif 000011
【図１０】
2007202124.tif 000012
【図１１】
2007202124.tif 000013
【図１２】
2007202124.tif 000014
【図１３】
2007202124.tif 000015
【図１４】
2007202124.tif 000016
【図１５】
2007202124.tif 000017
【図１６】
2007202124.tif 000018
【図１７】
2007202124.tif 000019